(57)【要約】【課題】キッチンの配置の制約が少なく、かつ配管が詰まりにくい排水方法及び排水横引管を提供する【解決手段】キッチンにディスポーザ１６が設けられた建築物において生じる生活排水を排水横引管を介して排水立て管に排水するシステム１であって、キッチンにおいて生じる排水を、サイホン排水によってキッチン用排水立て管１００に排水する第１の排水横引管１１と、キッチン以外で生じる排水を、重力排水によって一般排水立て管１１０に排水する第２の排水横引管２１，３１と、を備える。【選択図】図２
2008280784.tif 000002
【特許請求の範囲】
【請求項１】
キッチンにディスポーザが設けられた建築物において生じる生活排水を排水横引管を介して排水立て管に排水するシステムであって、
キッチンにおいて生じる排水を、サイホン排水によってキッチン用排水立て管に排水する第１の排水横引管と、
キッチン以外で生じる排水を、重力排水によって前記キッチン排水用排水立て管とは異なる排水立て管に排水する第２の排水横引管と、
を備えることを特徴とする排水システム。
【請求項２】
請求項１に記載の排水システムであって、
前記第１の排水横引管は、可撓管であることを特徴とする排水システム。
【請求項３】
請求項１又は２に記載の排水システムであって、
前記第１の排水横引管の直径は、１５ｍｍ以上２５ｍｍ以下であることを特徴とする排水システム。
【請求項４】
請求項１〜３の何れかに記載の排水システムであって、
同一の階に設けられた複数の前記第１の排水横引管が、同一のキッチン排水用排水立て管に接続することを特徴とする排水システム。
【請求項５】
請求項１〜４の何れかに記載の排水システムであって、
前記建築物は、集合住宅であることを特徴とする排水システム。
【請求項６】
キッチンにディスポーザが設けられた建築物において生じる生活排水を排水横引管を介して排水立て管に排水する方法であって、
キッチンにおいて生じる排水を、サイホン排水を用いた第１の排水横引管によってキッチン用排水立て管に排水し、
キッチン以外で生じる排水を、重力排水を用いた第２の排水横引管によって前記キッチン排水用排水立て管とは異なる排水立て管に排水することを特徴とする排水方法。
【発明の詳細な説明】
【技術分野】
【０００１】
本発明は、複数の階を有する建築物において用いられる排水システム及び方法に関する。
【背景技術】
【０００２】
近年販売される集合住宅では、間仕切りの自由度の高いＳＩ（スケルトン・インフィル）住宅が超高層物件では主流となっている。また、各住戸のキッチンにはディスポーザ（生ごみ粉砕機）を設置するのが一般的であり、この場合、キッチンからの排水は、キッチン用の排水横引管と排水立て管によって排水され、キッチン以外からの排水用は、キッチン以外からの排水用の排水横引管と排水立て管によって排水される。なお、排水横引管は、二重床の内部に設けられ、重力排水によって排水するのが一般的である。
【０００３】
しかし、従来から一般的に用いられてきた重力排水による排水横引管では、ＳＩ住宅であっても、キッチンの配置は排水立て管の位置及び排水横引管長さによる制約を受けてしまうとの問題があった。すなわち、重力排水には十分な勾配（一般的には１／５０〜１／７５）を確保するための高低差が必要であるが、一般的階高では二重床高さの制限（一般的には約３００ｍｍ）から排水横引管長さも制限される（一般的には約１０ｍ）こととなる。つまり、キッチンの配置は、排水立て管の位置から所定の範囲（約７ｍ以内）に制約されることになる。
【０００４】
また、キッチン用排水管では、ディスポーザの使用により生成される粉砕された生ごみが排水管内にスケールとして付着し、排水管が詰まりやすいという問題もある。このため、定期的（年に１回程度）に排水管内の洗浄が必要となり、保守管理の手間とコストがかかっている。
【０００５】
一方、特許文献１には、サイホン現象を利用した小口径で排水するサイホン排水について開示されている。これは、排水の初期段階においては重力排水により排水し、排水横引管が満流となってサイホン現象が発生すると一気に排水するものである。しかし、浴室洗場及びトイレの排水のように排水口の高さが低い器具には、小口径管では排水初期段階の重力排水で大量の排水を排水するのは困難である。したがって、サイホン排水は、一般的に使用されるには至っていない。
【特許文献１】特開２００６−２４１７０７号公報
【発明の開示】
【発明が解決しようとする課題】
【０００６】
本発明は、このような課題に対して、キッチンの配置の制約が少なく、かつ配管が詰まりにくい排水システム及び方法を提供することを目的とする。
【課題を解決するための手段】
【０００７】
第１の発明は、キッチンにディスポーザが設けられた建築物において生じる生活排水を排水横引管を介して排水立て管に排水するシステムであって、
キッチンにおいて生じる排水を、サイホン排水によってキッチン用排水立て管に排水する第１の排水横引管と、
キッチン以外で生じる排水を、重力排水によって前記キッチン排水用排水立て管と異なる排水立て管に排水する第２の排水横引管と、
を備えることを特徴とする排水システムである。
【０００８】
第２の発明は、第１の発明に記載の排水システムであって、
前記第１の排水横引管は、可撓管であることを特徴とする排水システムである。
【０００９】
第３の発明は、第１又は２の発明に記載の排水システムであって、
前記第１の排水横引管の直径は、１５ｍｍ以上２５ｍｍ以下であることを特徴とする排水システムである。
【００１０】
第４の発明は、第１〜３の発明の何れかに記載の排水システムであって、
同一の階に設けられた複数の前記第１の排水横引管が、同一のキッチン排水用排水立て管に接続することを特徴とする排水システムである。
【００１１】
第５の発明は、第１〜４の発明の何れかに記載の排水システムであって、
前記建築物は、集合住宅であることを特徴とする排水システムである。
【発明の効果】
【００１２】
本発明によれば、キッチンの配置の制約が少なく、かつ配管が詰まりにくい排水システム及び方法を提供することができる。
【発明を実施するための最良の形態】
【００１３】
本発明は、複数の階を有する建築物に利用可能であるが、以下の実施例においては、本発明を集合住宅に適用した場合の実施形態について説明する。
【００１４】
図１は、本実施形態の住戸の間取りを示す図である。同図に示すように、この住戸には、キッチン１０、浴室２０、及びトイレ３０に水回り器具が設置されている。また、図２は、本発明の一実施形態である住戸の断面を示す図である。
【００１５】
キッチン１０には、生ごみを粉砕するディスポーザ１６が設けられている。キッチン１０において生じるキッチン排水は、キッチン排水横引管１１（特許請求の範囲でいう「第１の排水横引管」）を介して住戸外に設けられたキッチン排水用立て管１００に排水される。
【００１６】
キッチン排水横引管１１は、満流排水となるようにするために、従来から一般的に用いられてきた排水横引管よりも小口径の排水横引管であって、例えば、直径１５〜２５ｍｍの口径である。なお、キッチン排水横引管１１は、直管であってもよいし、可撓管であってもよい。また、キッチン排水横引管１１の水平区間１２は、住宅の内装床４１（フローリング等）と建築物の躯体であるコンクリート床４２で構成される二重床の内部空間（一般的に、居室部高さ１２０〜１５０ｍｍ、水場回り高さ３００ｍｍ程度）に設置され、また後述のようにサイホン排水を行うためキッチン排水用立て管１００に向かって下る勾配を設ける必要はない。
【００１７】
キッチン排水用立て管１００は、キッチン排水を各階から収集する排水立て管である。ディスポーザ１６を使用すると、キッチン排水は、細かく粉砕された生ごみが水と混じり合ったものとなり、一般的に有機物汚染の度合いが極めて高い。したがって、多くの地方自治体は、下水処理場の処理能力に鑑み、この排水を、一旦、集合住宅等に設けられた浄化槽において処理した上でなければ、公共の下水管に放流してはならないとしている。そこで、キッチン排水は、他の生活排水を収集する排水立て管とは別に、キッチン排水用排水立て管１００によって収集される。
【００１８】
キッチン１０から導かれたキッチン排水横引管１１は、二重床の内部におけるキッチン排水用立て管１００の近傍において所定の高さだけ立ち上がる立上り区間１３から下方へ所定の落差（例えば、２ｍ）だけ鉛直方向に下がる落差区間１４を経て接続点１５でキッチン排水用立て管１００に接続される。これらの立上り区間１３及び落差区間１４により、キッチン排水横引管１１においてサイホン現象を発生させることができる。
【００１９】
浴室２０において生じる浴室排水は、浴室排水横引管２１（特許請求の範囲でいう「第２の排水横引管」）を介して、一般排水立て管１１０（特許請求の範囲でいう「キッチン排水用排水立て管と異なる排水立て管」）に排水される。また、浴室洗面台２２において生じる浴室洗面排水は、浴室洗面排水横引管２３（特許請求の範囲でいう「第２の排水横引管」）を介して、一般排水立て管１１０に排水される。
【００２０】
浴室排水横引管２１及び浴室洗面排水横引管２３は、従来から一般的に用いられてきた排水横引管であって、例えば直径６５ｍｍ程度の口径の直管である。浴室排水横引管２１は、半満流の重力排水によって排水するために、一般排水立て管１１０に向けて所定の下向き勾配（例えば、１／５０〜／７５）が設けられている。
【００２１】
トイレ３０において生じるトイレ排水は、トイレ排水横引管３１（特許請求の範囲でいう「第２の排水横引管」）を介して、一般排水立て管１１０に排水する。また、トイレ洗面台３２において生じるトイレ洗面排水は、トイレ洗面排水横引管３３（特許請求の範囲でいう「第２の排水横引管」）を介して、一般排水立て管１１０に排水される。
【００２２】
トイレ排水横引管３１及びトイレ洗面排水横引管３３も、浴室排水横引管２１及び浴室洗面排水横引管２３と同様に、従来から一般的に用いられてきた排水横引管であり、所定の下向き勾配が設けられている。
【００２３】
次に、キッチン排水、並びに浴室排水及びトイレ排水が、各排水横引管１、２１、３１においてどのように排水されるかについて説明する。  
キッチン１０からは、ディスポーザ１６で粉砕された生ごみと水とが混じり合ったキッチン排水が、キッチン排水横引管１１の水平区間１２に流れ込む。小口径管であるキッチン排水横引管１１において満流となり、キッチン１０と水平区間１２のレベル差により生ずる水流によって、はじめはゆっくりと接続点１５に向かって流れる。キッチン排水が、立上り区間１３を越えて落差区間１４に達すると、落差区間１４内にあるキッチン排水の自重によりサイホン現象が生じ、キッチン排水は、流速を増して急速にキッチン排水用立て管１００へ排水される。そして、一旦、サイホン現象が生じると、キッチン排水横引管１１内のキッチン排水が全て排出されるまで、このサイホン現象によるサイホン排水は継続する。
【００２４】
浴室２０の浴室排水は浴室排水横引管２１に流れ込み、勾配による重力排水で第２立て管１１０に排水される。同様に、トイレ３０のトイレ排水はトイレ排水横引管３１に流れ込み、勾配による重力排水で第２立て管１１０に排水される。
【００２５】
以上の通り、排水システム１のキッチン排水横引管１１には、サイホン現象を利用するので無勾配でもよく、従来あった勾配を確保するための二重床高さの制約による排水横引管の長さの制約（従来は約１０ｍ以下）は、サイホン排水を用いることで解消でき、キッチンの配置の自由度を高めることができる。したがって、自由な間取りを特長とするＳＩ住宅であっても従来はキッチンについて排水横引管の長さによる配置の制約があったが、排水システム１をＳＩ住宅に適用することで、キッチンの配置についても自由度を高めることができる。これにより、例えば、人気の高い間取りであるベランダ横のキッチンも可能となる。
【００２６】
また、本実施形態においてキッチン排水は、ディスポーザ１６で粉砕された生ごみと水とが混じり合ったものとなっており、スケール付着原因となる繊維質や油質を多く含んでいるが、キッチン排水横引管１１にサイホン現象を利用して速やかに排水することで、管内にスケールが付着するのを防止することができる。また、スケールは排水管内の水面付近に付着しやすいが、キッチン排水横引管１１は小口径であるので満流排水となり、管内にスケールは付着しにくい。したがって、これまで必要であった定期的な管内洗浄も不要とし、あるいはその頻度を抑えることができる。
【００２７】
一方で、浴室排水やトイレ排水は、その使用上の特性により瞬間的に大量の排水が発生するので、従来から用いられてきた半満流重力排水によって確実に排水することができる。
【００２８】
また、排水システム１を用いれば、キッチン排水横引管の長さ制約がないため、同じ階の近接する数戸の住戸が一本のキッチン排水用立て管を共有することができる。すなわち、これまでキッチン排水用立て管が配置されていたスペースを省くことができ、この分を住居スペースとすることができる。つまり、排水システム１によれば、販売できる占有面積を増やすことができるので、開発事業者は事業収益を向上させることができる。
【００２９】
排水システム１によれば、キッチン排水横引管１１に勾配は不要であるので、勾配を
考慮することなく簡易に設置することができる。また、キッチン排水横引管１１に可撓管を用いることができるので、施工が簡易である。さらに、キッチン排水横引管１１は無勾配で小口径の可撓管を用いるので、重力排水を用いている浴室排水横引管２１やトイレ排水横引管３１等とも簡単に交差させることができる。
【００３０】
また、キッチン排水横引管１１に無勾配の可撓管を用いるので、キッチン排水用立て管１００との接続部分では、コストの高い集合継手を使用せずに、簡易な接続が可能となる。
【００３１】
なお、以上の実施形態の説明は、本発明の理解を容易にするためのものであり、本発明を限定するものではない。以上では、本発明を集合住宅に用いた例に基づいて説明したが、本実施形態と同様に、本発明をホテルやオフィスビル等のキッチンを有する建築物においても用いることもできる。本発明はその趣旨を逸脱することなく、変更、改良され得ると共に本発明にはその等価物が含まれることは勿論である。
【図面の簡単な説明】
【００３２】
【図１】本発明の一実施形態である住戸の間取りを示す設計図である。
【図２】本発明の一実施形態である住戸の鉛直方向の断面を示す設計図である。
【符号の説明】
【００３３】
１  排水システム
１０  キッチン
１１  キッチン排水横引管
１２  水平区間
１３  立上り区間
１４  落差区間
１５  接続点
１６  ディスポーザ
２０  浴室
２１  浴室排水横引管
２２  浴室洗面台
２３  浴室洗面排水横引管
３０  トイレ
３１  トイレ排水横引管
３２  トイレ洗面台
３３  トイレ洗面排水横引管
４１  内装床
４２  コンクリート床
１００  キッチン排水用立て管
１１０  一般排水立て管
【図１】
2008280784.tif 000003
【図２】
2008280784.tif 000004